(57)【特許請求の範囲】
【請求項１】
把持可能な把持部と、前記把持部と所定の間隔を隔てて対向し、リンクチェーンを係止可能なリンク係止溝とが一体的に形成される環状の把持環と、
前記把持環に一端部が接続され、荷物に係止するための係止具を他端部に備えるリンクチェーンとを備え、
前記把持環には、前記把持部と所定の間隔を隔てて対向し、前記把持部と離間する方向に突出する突出部が設けられており、
前記突出部に前記リンク係止溝が形成されるとともに、
前記突出部の先端部には、前記突出部の突出方向に対する周方向に回転可能なリンクチェーン取付部が設けられており、前記リンクチェーン取付部に、リンクチェーンが固定されていることを特徴とする、チェーンスリング。
【発明の詳細な説明】
【０００１】
【発明の属する技術分野】
本発明は、チェーンスリング、詳しくは、手で把持しうる把持環を備えるチェーンスリングに関する。
【０００２】
【従来の技術】
手で把持しうる把持環を備えるチェーンスリングとしては、たとえば、握り手に沿う４つの凹部が形成される把持環と、その把持環に接続されるリンクチェーンと、そのリンクチェーンの先端部に取り付けられるフックとを備えるものが知られている。このようなチェーンスリングは、フックを荷物に引っ掛けた後、把持環を手で握って持ち上げれば、容易に荷役作業を行なうことができるため、女性の作業者や腰痛を有する作業者などにとって大変便利である。
【０００３】
【発明が解決しようとする課題】
しかるに、このようなチェーンスリングを用いて荷役作業する場合には、フックを荷物に引っ掛けて作業する以外にも、たとえば、リンクチェーンを荷物に掛け回して作業したい場合などもある。
【０００４】
そのため、たとえば、特表平１０−５０８２７２号公報では、把持部と対向するブラケット部に長手スロットを形成して、摺動チェーン、フック、アイレットなどの起重手段を交換可能に取り付けるものが提案されている。
【０００５】
しかし、特表平１０−５０８２７２号公報に記載のものでは、荷役作業の態様に応じて起重手段を交換しなければならず、交換作業が煩雑である。
【０００６】
とりわけ、この種の、手で把持しうる把持環を備えるチェーンスリングは、女性や腰痛を有する者などが簡易に使用できるものとして構成することが必須となるため、このように、複数の起重手段を用意して、荷役作業の態様に応じてこれらを交換することは、作業者にとって非常に負担を強いるものである。
【０００７】
本発明は、このような事情を解決するためにされたものであり、その目的とするところは、係止具を交換せずとも、リンクチェーンの掛け回しによる荷役作業にも対応することができ、しかも、手で把持しながら簡易かつ確実な荷役作業を達成することのできる、チェーンスリングを提供することにある。
【０００８】
【課題を解決するための手段】
上記の目的を達成するため、請求項１に記載の発明は、チェーンスリングであって、把持可能な把持部と、前記把持部と所定の間隔を隔てて対向し、リンクチェーンを係止可能なリンク係止溝とが一体的に形成される環状の把持環と、前記把持環に一端部が接続され、荷物に係止するための係止具を他端部に備えるリンクチェーンとを備え、前記把持環には、前記把持部と所定の間隔を隔てて対向し、前記把持部と離間する方向に突出する突出部が設けられており、前記突出部に前記リンク係止溝が形成されるとともに、前記突出部の先端部には、前記突出部の突出方向に対する周方向に回転可能なリンクチェーン取付部が設けられており、前記リンクチェーン取付部に、リンクチェーンが固定されていることを特徴としている。
【０００９】
このような構成によると、係止具を荷物に係止させた後、把持環を手でしっかりと握って持ち上げれば、係止具による荷役作業を簡易かつ確実に行なうことができる。また、リンクチェーンを荷物に掛け回した後、そのリンクチェーンの途中を、リンク係止溝に係止させた後、把持環を手でしっかりと握って持ち上げれば、リンクチェーンの掛け回しによる荷役作業も、リンクチェーンの他端部に係止具が設けられたままの状態で、簡易かつ確実に行なうことができる。
【００１０】
そのため、係止具による荷役作業またはリンクチェーンの掛け回しによる荷役作業を、係止具を取り外して交換せずとも、適宜、迅速に行なうことができ、たとえば、女性や腰痛を有する者などが使用する場合にも、過度の負担を強いることがなく、簡易かつ確実に、荷物の態様に応じた荷役作業を達成することができる。
【００１２】
また、荷役作業中に、把持部を握っている手を返しても、突出部が回転してリンクチェーンが捩じれることを良好に防止することができる。そのため、作業者は、荷役作業の途中においても、適宜、作業しやすい姿勢に変更しながら作業することができ、より一層、作業者の負担を低減することができる。
【００１３】
【発明の実施の形態】
図１は、本発明のチェーンスリングの一実施形態を示す正面図、図２は、そのＡ−Ａ線断面図である。これら図１および図２を参照して、本実施形態のチェーンスリングについて説明する。
【００１４】
図１において、このチェーンスリング１は、把持環２、リンクチェーン取付部７、リンクチェーン３およびフック１８を備えている。
【００１５】
把持環２は、横に広い略楕円環状をなし、その一側部（上側）に把持可能な把持部４が形成されるとともに、その把持部４と所定の間隔を隔てて対向する他側部（下側）の中央部に突出部５が、把持環２と一体的に形成されている。
【００１６】
把持部４には、作業者の握り手に沿うように、内側に凹む４つの凹部６が連続して形成されている。
【００１７】
突出部５は、把持部４と離間する方向（下方向）に突出形成されており、図２にも示すように、略矩形状の突出部本体８と、その突出部本体８の先端部から把持部４と離間する方向（下方向）にさらに突出形成される軸部９と、その軸部９の先端部から径方向に膨出する頭部１０とが、把持環２と一体的に形成されている。
【００１８】
また、この突出部５には、リンクチェーン３を係止可能なリンク係止溝１１が形成されている。すなわち、このリンク係止溝１１は、把持環２の他側部（下側）の中央部において、突出部本体８が、把持部４と離間する方向（下方向）に略Ｕ字状に開口されることにより形成されており、その開放側（上側）が、把持環２の内側空間と連通し、その底側（下側）が、軸部９の手前まで到達するような溝として形成されている。なお、このリンク係止溝１１が形成される突出部本体８の周辺は、突出部本体８の他の部分よりも肉厚の薄い薄肉部１２として形成されている。すなわち、この薄肉部１２は、リンク係止溝１１に沿う略Ｕ字状をなし、その開放側（上側）には、リンクチェーン３を受け入れやすくするために、湾曲状のテーパが形成されている。
【００１９】
そして、より具体的には、このリンク係止溝１１は、その幅Ｗ（図５参照）が、リンクチェーン３の単一リンク１３の線径Ｒ（図５参照）よりもやや幅広であり、その深さＤ（図５参照）が、リンクチェーン３の単一リンク１３の平行部Ｐ（図５参照）が１つないし２つ入る深さ（図６および図７参照）として形成されている。
【００２０】
リンクチェーン取付部７は、図２に示すように、２つの半割り体７Ａおよび７Ｂからなり、各半割り体７Ａおよび７Ｂは、図１に示すように、その両側部に平板状の取付部１４と、その中央部に軸方向（軸部９の軸方向）に沿う膨出部１５とを備えている。また、膨出部１５における軸方向両端部には、図２に示すように、軸部９を挟持可能な一方側挟持部（上側挟持部）１６と後述するリンクチェーン３の一端部の単一リンク１３を係止可能な他方側係止部（下側係止部）１７とが、それぞれ形成されている。
【００２１】
そして、このリンクチェーン取付部７は、２つの半割り体７Ａおよび７Ｂが、その膨出部１５の一端側（上側）において突出部５の頭部１０を受け入れ、また、その他端側（下側）においてリンクチェーン３の一端部の単一リンク１３を受け入れた状態で、一方側挟持部（上側挟持部）１６が軸部９を周方向に回転可能に挟持し、また、他方側係止部（下側係止部）１７がリンクチェーン３の一端部の単一リンク１３を係止するように組み付けられている。これによって、リンクチェーン取付部７は、突出部５の先端部において、その突出部５の突出方向（軸部９の軸方向）に対して、図３の矢印で示すように、周方向に回転可能に設けられるとともに、リンクチェーン３の一端部の単一リンク１３を固定している。
【００２２】
リンクチェーン３は、複数の単一リンク１３が連結されてなり、その一端部の単一リンク１３が、上記したように、リンクチェーン取付部７において固定されるとともに、その他端部の単一リンク１３には、荷物に係止するための係止具としてのフック１８が取り付けられている。
【００２３】
フック１８は、フック部１９、抜出防止爪２０およびフック取付部２１を備えている。フック部１９は、荷物を引っ掛けることができるように略片鉤状をなし、その基端部には、後述するフック取付部２１に取り付けられる軸部２２およびその軸部２２の先端部から径方向に膨出する頭部２３が一体的に形成されている。
【００２４】
抜出防止爪２０は、略矩形平板状をなし、フック部１９の開口部を閉鎖するように、その一端部がフック部１９の先端部に当接可能な状態で、その他端部がフック部１９の基端部において揺動自在に設けられており、常には、ばね２４によって、その一端部がフック部１９の先端部に当接する押し上げ方向（閉鎖方向）に付勢されている。これによって、抜出防止爪２０は、常には、ばね２４の付勢力によってフック部１９の開口部を閉鎖し、ばね２４の付勢力に抗して押し下げた場合のみ、フック部１９の開口部を開放する。そのため、このフック１８によって荷物を引っ掛ける場合には、抜出防止爪２０を、ばね２４の付勢力に抗して押し下げてフック部１９の開口部を開放して、荷物をフック部１９の開口部から受け入れればよい。そうすると、その後、常には、ばね２４の付勢力によってフック部１９の開口部が抜出防止爪２０によって閉鎖されるので、たとえ、荷物が抜出防止爪２０に当接しても、その抜出防止爪２０を開放することはできず、フック部１９から荷物が抜け出ることを良好に防止した状態で、荷物を保持することができる。
【００２５】
フック取付部２１は、図２に示すように、２つの半割り体２１Ａおよび２１Ｂからなり、各半割り体２１Ａおよび２１Ｂは、図１に示すように、その両側部に平板状の取付部２５と、その中央部に軸方向（軸部２２の軸方向）に沿う膨出部２６とを備えている。また、膨出部２６における軸方向両端部には、図２に示すように、リンクチェーン３の他端部の単一リンク１３を係止可能な一方側係止部（上側係止部）２７と軸部２２を挟持可能な他方側挟持部（下側挟持部）２８とが、それぞれ形成されている。
【００２６】
そして、このフック取付部２１は、２つの半割り体２１Ａおよび２１Ｂが、その膨出部２６の一端側（上側）においてリンクチェーン３の他端部の単一リンク１３を受け入れ、また、その他端側（下側）においてフック１８の頭部２３を受け入れた状態で、一方側係止部（上側係止部）２７がリンクチェーン３の一端部の単一リンク１３を係止し、また、他方側挟持部（下側挟持部）２８が軸部２２を周方向に回転可能に挟持するように組み付けられている。これによって、フック取付部２１は、リンクチェーン３の他端部の単一リンク１３に固定されるとともに、図３の矢印で示すように、フック部１９を周方向に回転可能に支持している。
【００２７】
次に、このチェーンスリング１の使用方法について、フック１８による荷役作業は図３を参照して、リンクチェーン３の掛け回しによる荷役作業は図４ないし図７を参照して説明する。
【００２８】
フック１８による荷役作業は、たとえば、図３に示すように、まず、荷物２９の引掛部３０にフック１８を引っ掛ける。荷物２９の引掛部３０にフック１８を引っ掛けるには、荷物２９の引掛部３０をフック１８の抜出防止爪２０に押し当てて、これを押し下げながらフック部１９内に引掛部３０を受け入れさせればよい。これによって、上記したように、フック部１９から引掛部３０が抜け出ることを良好に防止した状態で、荷物２９を保持することができる。
【００２９】
次いで、把持環２の把持部４を凹部６に沿って手でしっかりと握って持ち上げれば、簡易かつ確実な荷役作業を達成することができる。
【００３０】
また、リンクチェーン３の掛け回しによる荷役作業は、たとえば、図４に示すように、まず、荷物２９にリンクチェーン３を掛け回す。荷物２９に対するリンクチェーン３の掛け回しは、特に制限されないが、図３では、たとえば、荷物２９に対して２重に巻回する、いわゆるあだ巻きとして示されている。
【００３１】
次いで、掛け回したリンクチェーン３の途中を、把持環２のリンク係止溝１１に係止させる。リンクチェーン３の途中をリンク係止溝１１に係止させるには、たとえば、図５に示すように、まず、リンクチェーン３の途中の単一リンク１３を縦にした状態でリンク係止溝１１内に挿入する。そうすると、リンク係止溝１１の幅Ｗが、リンクチェーン３の単一リンク１３の線径Ｒよりもやや幅広程度であることから、図６に示すように、その次の横の状態の単一リンク１３が、このリンク係止溝１１に係止される。そして、図７に示すように、リンクチェーン３を折り返して、再び、逆方向からリンクチェーン３の途中の単一リンク１３を縦にした状態でリンク係止溝１１内に挿入すれば、掛け回したリンクチェーン３の途中がリンク係止溝１１にしっかりと係止される。
【００３２】
その後、把持環２の把持部４を凹部６に沿って手でしっかりと握って持ち上げれば、リンクチェーン３の他端部にフック１８が設けられたままの状態でも、リンクチェーン３の掛け回しによる荷役作業を、簡易かつ確実に達成することができる。
【００３３】
そのため、このチェーンスリング１では、フック１８による荷役作業またはリンクチェーン３の掛け回しによる荷役作業を、フック１８を取り外して交換せずとも、適宜、迅速に行なうことができ、たとえば、女性や腰痛を有する者などが使用する場合にも、過度の負担を強いることがなく、簡易かつ確実に、荷物の態様に応じた荷役作業を達成することができる。
【００３４】
しかも、このチェーンスリング１では、荷役作業中に、把持部４を握っている手を返しても、突出部５が周方向に回転してリンクチェーン３が捩じれることを良好に防止することができる。そのため、作業者は、荷役作業の途中においても、適宜、作業しやすい姿勢に変更しながら作業することができ、より一層、作業者の負担を低減することができる。
【００３５】
なお、リンクチェーン３の掛け回しによる荷役作業は、たとえば、図８に示すように、荷物２９の引掛部３０にリンクチェーン３の掛け回した後、掛け回したリンクチェーン３の途中を、把持環２のリンク係止溝１１に係止させ、その後、把持環２の把持部４を手でしっかりと握って持ち上げるような態様であってもよい。
【００３６】
また、リンクチェーン３の掛け回しによる荷役作業は、たとえば、図９に示すように、荷物２９が２つの荷締バンド３１によって所定の間隔を隔てて並行して荷締られている場合には、その２つの荷締バンド３１の間にリンクチェーン３を掛け回した後、掛け回したリンクチェーン３の途中を、把持環２のリンク係止溝１１に係止させ、その後、把持環２の把持部４を手でしっかりと握って持ち上げるような態様であってもよい。
【００３７】
さらに、上記した説明では、リンクチェーン取付部７にリンクチェーン３の一端部を直接固定するようにしたが、たとえば、図１０に示すように、リンクチェーン取付部７にマスターリンク３２を取り付けて、このマスターリンク３２に、他端部にフック１８が取り付けられている複数のリンクチェーン３を取り付けるようにしてもよい。なお、リンクチェーン取付部７にマスターリンク３２を取り付けるには、たとえば、上記に説明したように、リンクチェーン取付部７の２つの半割り体７Ａおよび７Ｂの他方側係止部（下側係止部）１７に、単一リンク１３を係止させ、その単一リンク１３またはその単一リンク１３に連結される１つないし複数の単一リンク１３にマスターリンク３２を取り付ければよい。
【００３８】
そして、図１０においては、たとえば、マスターリンク３２に、他端部にフック１８が取り付けられている２つのリンクチェーン３が取り付けられているチェーンスリング１を使用して、互いに所定の間隔を隔てて対向状に取手口３３が設けられている荷物２９を荷役作業する態様が示されている。すなわち、図１０においては、各取手口３３に各フック１８がそれぞれ引っ掛けられており、この状態で、把持環２の把持部４を手でしっかりと握って持ち上げれば、簡易かつ確実な荷役作業を達成することができる。
【００３９】
また、上記の説明では、リンクチェーン３の他端部に、フック１８を取り付けたが、本発明において、係止具としては、何らフックに限定されず、たとえば、アイレットなどであってもよい。
【００４０】
また、上記の説明では、把持部４を、作業者の握り手に沿うように、内側に凹む４つの凹部６として形成したが、把持部４の凹部６は、把持可能な形状であればその数は限定されず、さらに、把持部４としては、凹部６を形成せずに、ゴム製のグリップなどにより形成してもよく、また、把持部４にフックを引っ掛けるための凹部を形成してもよい。
【００４１】
【発明の効果】
以上述べたように、請求項１に記載の発明によれば、係止具による荷役作業またはリンクチェーンの掛け回しによる荷役作業を、係止具を取り外して交換せずとも、適宜、迅速に行なうことができ、たとえば、女性や腰痛を有する者などが使用する場合にも、過度の負担を強いることがなく、簡易かつ確実に、荷物の態様に応じた荷役作業を達成することができる。
【００４２】
また、請求項１に記載の発明によれば、作業者は、荷役作業の途中においても、適宜、作業しやすい姿勢に変更しながら作業することができ、より一層、作業者の負担を低減することができる。
【図面の簡単な説明】
【図１】本発明のチェーンスリングの一実施形態を示す正面図である。
【図２】図１のＡ−Ａ線断面図である。
【図３】図１に示すチェーンスリングの一使用態様（フックによる荷役作業）を示す斜視図である。
【図４】図１に示すチェーンスリングの一使用態様（リンクチェーンの掛け回しによる荷役作業であって、リンクチェーンをあだ巻きする態様）を示す斜視図である。
【図５】図４に示す荷役作業の途中（リンクチェーンの途中をリンク係止溝内に挿入する状態）を示す要部斜視図である。
【図６】図４に示す荷役作業の途中（リンクチェーンの途中をリンク係止溝内に挿入した状態）を示す要部斜視図である。
【図７】図４に示す荷役作業の途中（リンクチェーンを折り返して逆方向からリンク係止溝内に挿入した状態）を示す部分断面側面図である。
【図８】図１に示すチェーンスリングの一使用態様（リンクチェーンの掛け回しによる荷役作業であって、荷物の引掛部にリンクチェーンの掛け回す態様）を示す斜視図である。
【図９】図１に示すチェーンスリングの一使用態様（リンクチェーンの掛け回しによる荷役作業であって、２つの荷締バンドの間にリンクチェーンの掛け回す態様）を示す斜視図である。
【図１０】図１に示すチェーンスリングの一使用態様（２つのフックによる荷役作業）を示す斜視図である。
【符号の説明】
１    チェーンスリング
２    把持環
３    リンクチェーン
４    把持部
５    突出部
６    凹部
７    リンクチェーン取付部
１１  リンク係止溝
１８  フック
【図１】
0003607239.tif 000002
【図２】
0003607239.tif 000003
【図３】
0003607239.tif 000004
【図４】
0003607239.tif 000005
【図５】
0003607239.tif 000006
【図６】
0003607239.tif 000007
【図７】
0003607239.tif 000008
【図８】
0003607239.tif 000009
【図９】
0003607239.tif 000010
【図１０】
0003607239.tif 000011